(57)【要約】  コール詳細記録（ＣＤＲ）をモバイルデバイス加入者へのネットワーク使用通知を最適化するように生成するためのシステムおよび方法。本システムおよび方法は、モバイルデバイス加入者のネットワーク使用量が既定の割当量より高い場合にＣＤＲの生成を増加し、かつ／またはモバイルデバイス加入者のネットワーク使用量が既定の割当量より低い場合にＣＤＲの生成を減少させることを含む、モバイルデバイス加入者に対するＣＤＲ生成パラメータをモバイルデバイス加入者のネットワーク使用量に基づいて決定する課金システムモジュールを含むことができる。ＣＤＲ生成パラメータは、モバイルデバイス加入者のＣＤＲ生成を制御するように適用可能である。
2018521524.tif 000002
【特許請求の範囲】
【請求項１】
コール詳細記録（ＣＤＲ）を、モバイルデバイス加入者へのネットワーク使用通知を最適化するように生成する方法であって、
課金システムモジュールによって、前記モバイルデバイス加入者のＣＤＲ生成パラメータを前記モバイルデバイス加入者のネットワーク使用量に基づいて決定することであって、前記ＣＤＲ生成パラメータを決定することは、既定の割当量に対する前記モバイルデバイス加入者のネットワーク使用量が高い場合にＣＤＲ生成を増加すること、および前記既定の割当量に対する前記モバイルデバイス加入者のネットワーク使用量が少ない場合にＣＤＲ生成を低減すること、の少なくとも一方を含むことと、
前記課金システムモジュールによって、前記ＣＤＲ生成パラメータをポリシ課金および実施機能（ＰＣＥＦ）モジュールへ送信することと、
ＰＣＥＦモジュールによって、前記モバイルデバイス加入者に対するＣＤＲ生成を制御するために、前記受信されるＣＤＲ生成パラメータを適用すること、を含む方法。
【請求項２】
前記ＰＣＥＦモジュールにより適用される前記ＣＤＲ生成パラメータは、既定の時間閾値および既定のデータ量閾値のうちの少なくとも一方に基づく、請求項１に記載の方法。
【請求項３】
前記課金システムモジュールによってＣＤＲ生成パラメータを決定することは、前記モバイルデバイス加入者のネットワーク使用量が前記モバイルデバイス加入者のモバイルデバイス・ネットワーク・プラン上のネットワーク使用限度の第１の既定割合に達した場合にＣＤＲ生成を増加すること、および前記モバイルデバイス加入者の使用量が前記モバイルデバイス加入者のモバイルデバイス・ネットワーク・プラン上の前記ネットワーク使用限度の第２の既定割合より低い場合にＣＤＲ生成を低減すること、のうちの少なくとも一方を含む、請求項１に記載の方法。
【請求項４】
前記課金システムモジュールによって前記ＣＤＲ生成パラメータを決定することは、前記ＣＤＲ生成パラメータを、前記モバイルデバイス加入者のモバイルデバイス・ネットワーク・プランに参加する会員の計数に基づいて調整することを含む、請求項１に記載の方法。
【請求項５】
前記課金システムモジュールによって前記ＣＤＲ生成パラメータを決定することは、前記ＣＤＲ生成パラメータを、前記モバイルデバイス加入者の過去のネットワーク使用挙動に基づいて調整することを含む、請求項１に記載の方法。
【請求項６】
前記課金システムモジュールによって前記ＣＤＲ生成パラメータを決定することは、前記ＣＤＲ生成パラメータを、前記モバイルデバイス加入者のモバイルデバイス・ネットワーク・プランの課金サイクルに基づいて、かつ前記モバイルデバイス加入者のネットワーク使用量に関わりなく調整することを含み、生成されるＣＤＲの数値は、前記課金サイクルの開始時より前記課金サイクルの終わりの方が高い、請求項１に記載の方法。
【請求項７】
前記課金システムモジュールは、前記モバイルデバイス加入者に関する情報を記憶するためのデータベースを含み、前記情報は、前記モバイルデバイス加入者の現在および過去のネットワーク使用量、および前記モバイルデバイス加入者の通話およびデータ使用限度に関するモバイルデバイス・ネットワーク・プラン情報のうちの少なくとも一方を含む、請求項１に記載の方法。
【請求項８】
前記モバイルデバイス加入者には、個々のモバイルデバイス加入者、共有モバイルデバイス・ネットワーク・プランの一部であるモバイルデバイス加入者のグループ、および同じモバイルデバイス・ネットワーク・プランに加入しかつ類似のネットワーク使用特性を有するモバイルデバイス加入者のグループが含まれる、請求項１に記載の方法。
【請求項９】
前記モバイルデバイス加入者は、単一のモバイルデバイス・ネットワーク・プランに登録された複数のモバイルデバイスを有し、かつ前記モバイルデバイス加入者のネットワーク使用量は、前記複数のモバイルデバイスのネットワーク使用量を基礎とする、請求項１に記載の方法。
【請求項１０】
ポリシ制御および課金規則機能（ＰＣＲＦ）モジュールによって、前記モバイルデバイス加入者による現行のネットワーク使用量に関する情報を前記課金システムモジュールへ送信することをさらに含む、請求項１に記載の方法。
【請求項１１】
モバイルデバイス加入者のコール詳細記録（ＣＤＲ）を、モバイルデバイス加入者へのネットワーク使用通知を最適化するように生成するためのシステムであって、
課金システムモジュールであって、
前記モバイルデバイス加入者のＣＤＲ生成パラメータを前記モバイルデバイス加入者のネットワーク使用量に基づいて決定するように構成され、前記ＣＤＲ生成パラメータは、既定の割当量に対する前記モバイルデバイス加入者のネットワーク使用量が高い場合にＣＤＲ生成を増加すること、および前記既定の割当量に対する前記モバイルデバイス加入者のネットワーク使用量が少ない場合にＣＤＲ生成を低減すること、の少なくとも一方を含み、かつ、
前記ＣＤＲ生成パラメータをポリシ課金および実施機能（ＰＣＥＦ）モジュールへ送信するように構成される、課金システムモジュールと、
前記課金システムモジュールへ結合され、かつ前記モバイルデバイス加入者に対するＣＤＲ生成を制御するために、前記受信されるＣＤＲ生成パラメータを適用するように構成されるＰＣＥＦモジュールと、を備えるシステム。
【請求項１２】
前記ＰＣＥＦモジュールは、前記ＣＤＲ生成パラメータを、既定の時間閾値および既定のデータ量閾値のうちの少なくとも一方に基づいて適用するように構成される、請求項１１に記載のシステム。
【請求項１３】
前記課金システムモジュールは、前記ＣＤＲ生成パラメータを、前記モバイルデバイス加入者のネットワーク使用量が前記モバイルデバイス加入者のモバイルデバイス・ネットワーク・プラン上のネットワーク使用限度の第１の既定割合に達した場合にＣＤＲ生成を増加すること、および前記モバイルデバイス加入者の使用量が前記モバイルデバイス加入者のモバイルデバイス・ネットワーク・プラン上の前記ネットワーク使用限度の第２の既定割合より低い場合にＣＤＲ生成を低減すること、のうちの少なくとも一方に基づいて決定するように構成される、請求項１１に記載のシステム。
【請求項１４】
前記課金システムモジュールは、前記ＣＤＲ生成パラメータを、前記モバイルデバイス加入者のモバイルデバイス・ネットワーク・プランに参加する会員の計数に基づいて前記ＣＤＲ生成パラメータを調整することによって決定するように構成される、請求項１１に記載のシステム。
【請求項１５】
前記課金システムモジュールは、前記ＣＤＲ生成パラメータを、前記モバイルデバイス加入者の過去のネットワーク使用挙動に基づいて決定するように構成される、請求項１１に記載のシステム。
【請求項１６】
前記課金システムモジュールは、前記ＣＤＲ生成パラメータを、前記モバイルデバイス加入者のモバイルデバイス・ネットワーク・プランの課金サイクル、および前記モバイルデバイス加入者のネットワーク使用量とは無関係、のうちの少なくとも一方に基づいて前記ＣＤＲ生成パラメータを調整することによって決定するように構成され、生成されるＣＤＲの数値は、前記課金サイクルの開始時より前記課金サイクルの終わりの方が高い、請求項１１に記載のシステム。
【請求項１７】
前記課金システムモジュールは、あるモバイルデバイス加入者に関する情報を記憶するためのデータベースを含み、前記情報は、前記モバイルデバイス加入者の現在および過去のネットワーク使用量、および前記モバイルデバイス加入者の通話およびデータ使用限度に関するモバイルデバイス・ネットワーク・プラン情報のうちの少なくとも一方を含む、請求項１１に記載のシステム。
【請求項１８】
前記モバイルデバイス加入者には、個々のモバイルデバイス加入者、共有モバイルデバイス・ネットワーク・プランの一部であるモバイルデバイス加入者のグループ、および同じモバイル・ネットワーク・プランに加入しかつ類似のネットワーク使用特性を有するモバイルデバイス加入者のグループが含まれる、請求項１１に記載のシステム。
【請求項１９】
前記モバイルデバイス加入者は、単一のモバイルデバイス・ネットワーク・プランに登録された複数のモバイルデバイスを有し、かつ前記モバイルデバイス加入者のネットワーク使用量は、前記複数のモバイルデバイスのネットワーク使用量を基礎とする、請求項１に記載のシステム。
【請求項２０】
前記モバイルデバイス加入者による現行のネットワーク使用量に関する情報を前記課金システムモジュールへ送信するように構成されるポリシ制御および課金規則機能（ＰＣＲＦ）モジュールをさらに備える、請求項１１に記載のシステム。
【発明の詳細な説明】
【技術分野】
【０００１】
関連出願の相互参照
本出願は、２０１５年５月７日に提出された「課金システム用コール詳細記録を生成するための方法およびシステム」と題する米国暫定出願第６２／１５８，２６０号に対し、特許法第１１９条（ｅ）に基づく優先権を主張するものであり、前記出願の内容はその全体が開示に含まれる。
【０００２】
本発明は、概して、通信ネットワークシステムにおけるコール詳細記録（発着信詳細記録）の生成に関する。
【背景技術】
【０００３】
モバイルデバイス加入者が通信ネットワークに接続されたデバイスを用いてトランザクション（例えば、音声呼、ＳＭＳメッセージ、データトランザクション）を実行する場合、ネットワークは、モバイルデバイス加入者のネットワークセッションに関する特性を記述するコール詳細記録（ＣＤＲ）を生成する。例えば、ＣＤＲは、セッションの日時、持続期間、タイプ（例えば、通話およびデータ）およびネットワークリソース使用量に関する情報を含み得る。ＣＤＲは、モバイルキャリアがモバイルデバイス加入者によるネットワーク上リソースの使用量を計算して報告し、かつ過多量（即ち、何れかのモバイルデバイス加入者がモバイルデバイス・ネットワーク・プランの使用上限を超えていれば）を決定し、かつ最終的にモバイルデバイス加入者にネットワーク使用に対して課金する手助けをする。
【０００４】
通信するためにネットワークへのアクセスを要求する個人または家族によって使用されるモバイルデバイス（例えば、スマートフォン、タブレットおよびラップトップ）が急増することを考慮して、モバイル・ネットワーク・オペレータは、共有のモバイルデバイス・ネットワーク・データ・プランを提供している。これらの共有プランにより、モバイルデバイス加入者は、単一のデータプールに対して支払いを行い、これを複数のデバイスで、また他の家族間で共有することができる。これらの共有プランの下では、モバイルデバイス加入者は、ネットワーク使用割当量を（例えば、月単位で）割り当てられるが、これは、データ量を含み、かつ既定の通話分数およびテキスト数も含む場合がある。プランの使用限度を超えるモバイルデバイス加入者は、追加料金を請求される。したがって、モバイルデバイス加入者は、その使用を適宜調整し得るように、プランの限度に近づきつつあるかどうかを含むそのネットワーク使用に関する正確かつ現行の情報を受け取ることが重要である。
【０００５】
ネットワークオペレータは、典型的には、定間隔でＣＤＲを生成するようにネットワークを設定する。これらの間隔は、データ閾値の時間および／または量を基礎とすることが可能であって、全てのモバイルデバイス加入者で同じである。したがって、モバイルデバイス加入者のネットワーク使用量またはデータプランに関わらず、ネットワークは、定間隔でＣＤＲを生成する。このようなシステムは、１）自分のプラン使用限度にすぐに近づいてしまうモバイルデバイス加入者は、その使用量に関する情報を決められた間隔より短い間隔で必要とすること、および、２）自分のプランのデータ限度とは、程遠くにいるモバイルデバイス加入者は、その使用量に関する情報を決められた間隔ほど頻繁には必要としないこと、について考慮しない。ＣＤＲを生成するためのこの従来技術は、そのデータ限度に近づきつつある個人に対してＣＤＲの生成が少なすぎることになり、その結果、使用報告が不正確になり、かつモバイルデバイス加入者に、そのプランの使用限度に近づきつつあることを適時に通知することができない。逆に、この既知技術は、その使用限度とは、程遠くにいる個人に対して多すぎるＣＤＲを生成することになり、その結果、オペレータの処理および課金システムが度を超したものとなり、全体的なＣＤＲ処理の遅延を招く。
【０００６】
データ使用量の計算および報告の精度および適時性を向上させるためにネットワークオペレータが試みる１つのソリューションは、ＣＤＲを生成するための時間および／またはデータ量閾値に基づいて定間隔を一様に短縮することである。しかしながら、これは、ＣＤＲ量を劇的に増加させ、オペレータの処理および課金システムに負担をかける。
【０００７】
開示する発明対象の実施形態は、ＣＤＲの生成を、各モバイルデバイス加入者に、または共有プランの一部である、または類似のネットワーク使用特性を有するモバイルデバイス加入者のグループに適するレベルに調整することに関する。これにより、ＣＤＲ生成の全体量が減少し、かつオペレータの処理および課金システムを圧倒することなく、総データ使用量を適時かつ正確に計算しかつ報告することが促進される。
【発明の概要】
【発明が解決しようとする課題】
【０００８】
（対応する記載なし）
【課題を解決するための手段】
【０００９】
本明細書では、コール詳細記録（ＣＤＲ）をモバイルデバイス加入者へのネットワーク使用通知を最適化するように生成するためのシステムおよび方法を開示する。幾つかの実施形態において、本システムおよび方法は、モバイルデバイス加入者のネットワーク使用量が既定の割当量より高い場合にＣＤＲの生成を増加し、かつ／またはモバイルデバイス加入者のネットワーク使用量が既定の割当量より低い場合にＣＤＲの生成を減少させることを含む、モバイルデバイス加入者に対するＣＤＲ生成パラメータをモバイルデバイス加入者のネットワーク使用量に基づいて決定する課金システムモジュールを含む。課金システムモジュールは、ＣＤＲ生成パラメータをポリシ課金および実施機能（ＰＣＥＦ）モジュールに送信し、かつＰＣＥＦモジュールは、受信したＣＤＲ生成パラメータを適用して、モバイルデバイス加入者に対するＣＤＲ生成を制御する。
【００１０】
幾つかの実施形態において、ＰＣＥＦモジュールにより適用されるＣＤＲ生成パラメータは、既定の時間閾値および／または既定のデータ量閾値に基づく。
【００１１】
幾つかの実施形態において、課金システムモジュールは、ＣＤＲ生成パラメータを、モバイルデバイス加入者のネットワーク使用量がモバイルデバイス加入者のモバイルデバイス・ネットワーク・プラン上のネットワーク使用限度の第１の既定割合に達した場合のＣＤＲ生成の増加、および／またはモバイルデバイス加入者の使用量がモバイルデバイス加入者のモバイルデバイス・ネットワーク・プラン上のネットワーク使用限度の第２の既定割合より低い場合のＣＤＲ生成の低減、に基づいて決定する。
【００１２】
幾つかの実施形態において、課金システムは、ＣＤＲ生成パラメータを、モバイルデバイス加入者のモバイルデバイス・ネットワーク・プランに参加する会員の計数（合計）に基づいてＣＤＲ生成パラメータを調整することにより決定する。
【００１３】
幾つかの実施形態において、課金システムは、ＣＤＲ生成パラメータを、モバイルデバイス加入者の過去のネットワーク使用挙動に基づいてＣＤＲ生成パラメータを調整することにより決定する。
【００１４】
幾つかの実施形態において、課金システムは、ＣＤＲ生成パラメータを、モバイルデバイス加入者のモバイルデバイス・ネットワーク・プランの課金サイクルに基づいて、かつモバイルデバイス加入者のネットワーク使用量に関わりなくＣＤＲ生成パラメータを調整することによって決定し、生成されるＣＤＲの数値は、課金サイクルの開始時より課金サイクルの終わりの方が高い。
【００１５】
幾つかの実施形態において、課金システムモジュールは、モバイルデバイス加入者に関する情報を記憶するためのデータベースを含み、その情報は、モバイルデバイス加入者の現在および過去のネットワーク使用量、および／またはモバイルデバイス加入者の通話およびデータ使用限度に関するモバイルデバイス・ネットワーク・プラン情報を含む。
【００１６】
幾つかの実施形態において、モバイルデバイス加入者には、個々のモバイルデバイス加入者、共有モバイルデバイス・ネットワーク・プランの一部であるモバイルデバイス加入者のグループ、および同じモバイルデバイス・ネットワーク・プランに加入しかつ類似のネットワーク使用特性を有するモバイルデバイス加入者のグループが含まれる。
【００１７】
幾つかの実施形態において、加入者は、単一のモバイルデバイス・ネットワーク・プランに登録された複数のモバイルデバイスを有し、モバイルデバイス加入者のネットワーク使用量は、複数のモバイルデバイスのネットワーク使用量を基礎とする。
【００１８】
幾つかの実施形態において、本システムおよび方法は、モバイルデバイス加入者による現行のネットワーク使用量に関する情報を課金システムモジュールへ送信するポリシ制御および課金規則機能（ＰＣＲＦ）モジュールをさらに含む。
【００１９】
開示する発明対象のこれらの、および他の能力は、添付の図面および詳細な説明を検討した後に、より完全に理解されるであろう。
【００２０】
次に、開示する発明対象の様々な実施形態をより完全に理解するために、添付の図面に関連して行なう以下の説明を参照する。
【図面の簡単な説明】
【００２１】
【図１】異なるＣＤＲ生成技術を示すグラフである。
【図２】ＣＤＲ生成とモバイルデバイス・ネットワーク・プランの使用量との関係を表すグラフである。
【図３】開示する発明対象の幾つかの実施形態による、ＣＤＲをインテリジェントに、かつ動的に生成するためのネットワークシステムを示すブロック図である。
【図４】開示する発明対象の幾つかの実施形態による、図３のネットワークシステムで用いるための方法を示すプロセスフロー図である。
【図５】開示する発明対象の幾つかの実施形態による、図３のネットワークシステムで用いるための方法を示すプロセスフロー図である。
【図６】開示する発明対象の幾つかの実施形態による、図３のネットワークシステムで用いるための方法を示すプロセスフロー図である。
【図７】開示する発明対象の幾つかの実施形態による、図３のネットワークシステム
【図８】開示する発明対象の幾つかの実施形態による、図３のネットワークシステムで用いるための方法を示すプロセスフロー図である。
【発明を実施するための形態】
【００２２】
開示する発明対象の実施形態は、課金システム用のコール詳細記録（発着信詳細記録）を、モバイルデバイス加入者のネットワーク消費挙動または他の基準に基づいてインテリジェントに生成する技術を提供することができる。例えば、所定の実装形態は、ＣＤＲを、そのモバイルデバイス・ネットワーク・プランのネットワークリソース使用限度に近づいているモバイルデバイス加入者に対してはより頻繁に、かつその限度とはほど遠いところにいるモバイルデバイス加入者に対してはより低頻度で生成することができる。ＣＤＲ生成を個々のモバイルデバイス加入者に適するレベルに調整することで、不必要なＣＤＲ生成をなくし、かつモバイルデバイス加入者のネットワークリソース使用量の報告および計算における精度および適時性向上を促進することができる。
【００２３】
モバイルデバイス加入者には、モバイルデバイス・ネットワーク・プランの個々のモバイルデバイス加入者、共有モバイルデバイス・ネットワーク・プランの一部であるモバイルデバイス加入者のグループ、または同じモバイルデバイス・ネットワーク・プランに加入しかつ類似のネットワーク使用特性（例えば、各課金サイクル毎にそのプランの使用割当量の５０％未満を使用）を有するモバイルデバイス加入者のグループが含まれる。モバイルデバイス加入者は、単一のモバイルデバイス・ネットワーク・プランの下で単一のモバイルデバイスまたは複数のモバイルデバイスを登録してもよい。モバイルデバイス加入者が単一のモバイルデバイス・ネットワーク・プランの下で複数のモバイルデバイスを登録すれば、モバイルデバイス加入者のネットワーク使用量は、そのプランの下で登録される全てのモバイルデバイスをカバーする。
【００２４】
図１は、ＣＤＲを生成するために異なる技術が使用される場合の、モバイルデバイス加入者数とＣＤＲの量または頻度率との関係を示すグラフ１００である。図１に示すグラフは、ＣＤＲの頻度率または量を表すｙ軸１１０と、モバイルデバイス加入者の数を表すｘ軸１２０とを含む。線１３０は、全てのモバイルデバイス加入者の時間および／またはデータ量閾値に基づいて定間隔でＣＤＲを生成する（例えば、ＣＤＲを５分毎に、またはデータ１０メガバイト（ＭＢ）毎に生成する）ための周知技術を表し、かつモバイルデバイス加入者の数に対するＣＤＲの頻度率または量に与えるこの技術の影響を示している。この技術の問題点は、決定された時間間隔またはデータ量閾値が、ＣＤＲ情報が必要とされる速度に追いつかないことが多い点にある。応急処置として、オペレータがモバイルデバイス加入者のネットワークリソース使用に関するより迅速かつより正確な更新を得るように希望すれば、オペレータは、しばしば時間および／またはデータ量閾値を減少することによって更新間隔を短縮するが、これにより、（線１３０と比較して）線１４０で表されるようにＣＤＲ生成頻度率または量が高騰する。しかしながら、長期的には、ＣＤＲ生成頻度率または量のこの増加は、通常、モバイルデバイス加入者のネットワークリソース使用量に関するより迅速かつより正確な更新を提供するという望ましい結果をもたらさない。むしろ、生成されるＣＤＲの氾濫は、ＣＤＲの処理および課金システムを圧倒する傾向があり、モバイルデバイス加入者への使用通知が遅延され、かつ／または不正確になる。
【００２５】
ＣＤＲを定間隔で生成するこの既知技術とは対照的に、開示する発明対象の幾つかの実施形態は、大量のネットワークリソースを使用するモバイルデバイス加入者（「ヘビーユーザ」）に対してのみ、選択的にＣＤＲ更新間隔を減少させる（即ち、ＣＤＲ生成を増加させる）。この技法は、線１５０によって表され、線１４０と比較して、より低いＣＤＲ量または頻度率をもたらす。線１６０が表す、開示する発明対象の他の実施形態は、一部のユーザ（例えば、ヘビーネットワークユーザ）に対して選択的にＣＤＲ更新間隔を短縮させ、一方で他のユーザ（例えば、ライトネットワークユーザ）に対してはＣＤＲ更新間隔を増加させる。線１６０を現行のＣＤＲ生成技術１３０と比較すると、全体的なＣＤＲ生成頻度率または量は、遙かに低い。更新間隔をモバイルデバイス加入者のネットワークリソース消費にインテリジェントに合致するように調整することにより、全体的なＣＤＲ生成頻度率または量が低減される。この低減により、ＣＤＲ処理および課金システムの負担軽減、およびモバイルデバイス加入者の総ネットワーク使用を報告する精度および効率の向上を促進させることができる。
【００２６】
図２は、モバイルデバイス・ネットワーク・プランにおける各個人に対するＣＤＲ生成のための暫定更新間隔（ｙ軸２１０で表す）と、モバイルデバイス・ネットワーク・プランの使用率（Ｘ軸２２０で表す）との関係を示すグラフ２００である。更新間隔は、時間閾値（例えば、ネットワーク使用５分毎にＣＤＲを生成する）および／またはデータ量閾値（例えば、ネットワーク使用５メガバイト毎にＣＤＲを生成する）の何れかを基礎としてもよい。開示する発明対象の実施形態では、モバイルデバイス・ネットワーク・プランの使用が課金サイクルのその最大許容使用割当量に近づくにつれて、ＣＤＲ生成の暫定更新間隔が減少する。したがって、そのプランのネットワーク使用限度を超える危険性のあるモバイルデバイス加入者には、そのネットワーク使用についての通知がより頻繁に行われる。逆に、モバイルデバイス・ネットワーク・プランのネットワーク使用率が低く、かつそのモバイルデバイス加入者がそのプランのネットワーク使用限度を超えそうにない場合、ＣＤＲ生成の暫定更新間隔が増加する。したがって、そのプランの限度とはほど遠いところにいるモバイルデバイス加入者は、そのネットワーク使用に関する更新をさほど頻繁には受信しない。例えば、モバイルデバイス加入者のネットワーク使用が、現行の課金サイクルのそのモバイルデバイス・ネットワーク・プランの最大許容割当量の９０％に達すると、ＣＤＲ生成の暫定更新間隔が減少し、モバイルデバイス加入者は、そのネットワーク使用に関する更新をより頻繁に受信する。これに対して、モバイルデバイス加入者のネットワーク使用が、現行の課金サイクルのそのモバイルデバイス・ネットワーク・プランの最大許容割当量の２０％未満であれば、ＣＤＲ生成の暫定更新間隔が増加し、モバイルデバイス加入者は、そのネットワーク使用に関する通知をより少なく受信する。
【００２７】
開示する発明対象の幾つかの実施形態では、モバイルデバイス・ネットワーク・プランの使用率を考慮することに加えて、またはその代わりに、ＣＤＲ生成の暫定更新間隔を、様々なファクタを考慮するように調整することができる。例えば、ＣＤＲ生成の暫定更新間隔は、モバイルデバイス・ネットワーク・プランに参加する会員数に基づいて減少されてもよい。モバイルデバイス・ネットワーク・プランに参加するより多くの会員が、結果的にモバイルデバイス・ネットワーク・プランの使用制限に近づきやすくなることから、モバイルデバイス・ネットワーク・プランの会員には、そのネットワーク使用に関してより頻繁に通知されることが重要である。図２に描かれているグラフにおいて、線２３０は、参加５名の家族会員を表し、線２４０は、参加２名の家族会員を表し、線２５０は、参加１名の家族会員を表す。異なる線が示すように、プランに参加する家族会員が多いほど、ＣＤＲを生成するための暫定更新間隔が短い。言い替えれば、モバイルデバイス・ネットワーク・プランに参加する家族会員が多いほど、そのネットワーク使用に関して受信する更新が増える。
【００２８】
開示する発明対象の他の実施形態において、暫定更新間隔は、モバイルデバイス加入者の過去のネットワーク使用挙動、およびそのモバイルデバイス・ネットワーク・プランの課金サイクルの時点を含む、但しこれらに限定されない他のファクタに関して調整されてもよい（例えば、課金サイクルの開始時には使用量が少なく、モバイルデバイス加入者に対して必要な更新は少なくなるが、課金サイクルの終了時には使用量が多くなり、より多くの更新が必要になる）。合計ＣＤＲ頻度率および／または量は、間隔パラメータの設定、ならびにそのモバイルデバイス・ネットワーク・プランの１００％使用に近づいているモバイルデバイス加入者の数によって決定される。
ネットワークシステムのアーキテクチャおよびネットワークシステム・コンポーネントの定義
【００２９】
図３は、モバイルデバイス加入者のネットワーク消費挙動または他の基準に基づいてＣＤＲをインテリジェントに、かつ動的に生成するように構成されることが可能な、開示する発明対象によるモバイル通信ネットワークシステム３００の一実施形態を示すブロック図である。ネットワークシステム３００は、ユーザ機器（ＵＥ）３１０と、サービングゲートウェイ（ＳＧＷ）３２０と、パケット・データ・ネットワーク・ゲートウェイ（ＰＧＷ）３３０と、オフライン課金システム（ＯＦＣＳ）３４０と、課金システム（ＢＳ）モジュール３４５と、ポリシ制御および課金規則機能（ＰＣＲＦ）モジュール３５０と、ポリシ課金および実施機能（ＰＣＥＦ）モジュール３９０と、ネットワーク３６０とを含む。また、図示されていない進化型ノードＢおよびモビリティ管理エンティティ等の追加コンポーネントも、ネットワークシステム３００の一部である可能性もある。本明細書に記載する機能性は、単一のコンポーネントに組み合わされることも、複数のコンポーネントに分散されることも可能である。
【００３０】
ネットワークシステム３００により利用されるネットワークのタイプには、回線交換式、公衆交換式、パケット交換式、データ、電話、電気通信、ビデオ配信、ケーブル、地上波、放送、衛星、ブロードバンド、企業、グローバル、国内、地域、広域、バックボーン、パケット交換ＴＣＰ／ＩＰ、ファストイーサネット、トークン国内、地域、広域、バックボーン、パケット交換ＴＣＰ／ＩＰ、ファストイーサネット、トークンリング、公衆インターネット、私設、ＡＴＭ、マルチドメイン、および／またはマルチゾーン・サブネットワーク、１つまたは複数のインターネット・サービス・プロバイダ、および／またはローカル・エリア・ネットワークに直接接続されていないスイッチ、ルータおよび／またはゲートウェイ等の１つまたは複数の情報デバイスが含まれてもよい。ネットワークの例には、広域ネットワーク（ＷＡＮ）、ローカル・エリア・ネットワーク（ＬＡＮ）、グローバル移動体通信システム（ＧＳＭ（登録商標））ネットワーク、符号分割多元接続（ＣＤＭＡ）ネットワーク、ロング・ターム・エボリューション（ＬＴＥ）ネットワークおよびマイクロ波アクセスのための世界的相互運用性（ＷｉＭａｘ）ネットワークが含まれてもよい。
【００３１】
ユーザ機器（ＵＥ）３１０は、モバイルデバイス加入者または無線通信サービスのユーザによってデータ、制御、音声、ビデオ、音、ゲーミングまたは略任意のデータストリームまたはシグナリングストリームを受信または伝達するために利用される無線デバイス（例えば、携帯電話、スマートフォン、コンピュータ、パーソナル・デジタル・アシスタント（ＰＤＡ）セットトップボックス、インターネット・プロトコル・テレビ（ＩＰＴＶ）、電子ゲームデバイス、プリンタ、タブレット、Ｗｉ−Ｆｉホットスポット）であってもよい。
【００３２】
ＳＧＷ３２０は、ＵＥ３１０から到来するユーザ・データ・パケットをＰＧＷ３３０へルーティングして転送することができる。
【００３３】
ＰＣＲＦ３５０は、ポリシ制御決定およびフローベースの課金制御機能を担当する。開示する発明対象の幾つかの実施形態において、ＰＣＲＦ３５０は、課金システム３４５によるそのモバイルデバイス加入者の適切なＣＤＲ生成パラメータの決定を支援するために、課金システム３４５へモバイルデバイス加入者に関する所定の情報を提供することができる。例えば、ＰＣＲＦ３５０は、現行の使用量についての更新をＰＣＥＦ３９０から受信して課金システム３４５へ報告することができる。ＰＣＥＦ３９０は、Ｇｘまたは他の適切なプロトコルを用いて使用量を報告する。ＣＤＲ生成パラメータは、時間および／またはデータ量閾値の何れかに基づく暫定更新間隔を含んでもよい（例えば、ネットワーク使用５分毎および／またはネットワーク上で送信されるデータ５メガバイト毎に、ＣＤＲを生成する）。
【００３４】
開示する発明対象の所定の実施形態において、ネットワークシステム３００に含まれるＰＣＥＦ３９０は、ＰＧＷ３３０内に配置されてもよい。ＰＣＥＦ３９０は、サービス・データ・フローの検出、ポリシ実施および課金に関連する機能を含む。具体的には、ＰＣＥＦ３９０は、ＣＤＲ生成に関連するパラメータを記憶し、かつこれらのパラメータに基づいてＣＤＲを生成するように構成される。例えば、ＰＣＥＦ３９０は、スミス氏というモバイルデバイス加入者個人に関して、ＣＤＲ間隔更新を、３分のネットワーク使用および／またはネットワーク上での７メガバイトのデータ送信または受信に基づいて記憶することができる。スミス氏がネットワークを３分間使用しかつ／またはネットワーク上で７メガバイトのデータを送信すると、ＰＧＷ３９０は、ＣＤＲを生成する。別のモジュール、例えば課金システム３４５は、あるモバイルデバイス加入者に適するＣＤＲ生成パラメータを作成し、かつこれらのＣＤＲ生成パラメータを、あるモバイルデバイス加入者へ適用するために、直接または間接的にＰＣＥＦ３９０へ送信してもよい。
【００３５】
さらに、幾つかの実施形態において、ネットワークシステム３００は、オフライン課金に使用されるオフライン課金システム（ＯＦＣＳ）３４０等のオフライン課金システムを含む。ＯＦＣＳ３４０は、そのリソース使用と同時に、ネットワークリソース使用に対する課金情報を収集することができる。課金情報は、最終的に、課金システム３４５に渡される。例えば、ＯＦＣＳ３４０は、生成されたＣＤＲをＰＣＥＦ３９０から受信し、それを課金システム３４５へ伝えることができる。他の実施形態では、ＰＣＥＦ３９０は、ＣＤＲを生成し、それを直に課金システム３４５へ送信する。
【００３６】
また、ネットワークシステム３００は、課金システム３４５も含む。幾つかの実施形態において、課金システム３４５は、ネットワーク・サービス・プロバイダ（不図示）によって制御され、ネットワーク消費データの収集、課金および請求情報の計算、使用に関する請求書生成および顧客への通知、および支払いの処理を担当する。さらに、幾つかの実施形態において、課金システム３４５は、あるモバイルデバイス加入者に適したＣＤＲ生成パラメータを作成する。例えば、そのモバイルデバイス加入者がヘビーネットワークユーザであって、過多量の履歴を有していれば、課金システム３４５は、低い時間および／またはデータ量閾値に基づいて、短い暫定更新間隔を含むＣＤＲ生成パラメータを作成することができる。これらのＣＤＲ生成パラメータは、ＰＣＥＦ３９０によってそのモバイルデバイス加入者に対するＣＤＲ生成を増加させるように適用されることが可能であり、よって、そのモバイルデバイス加入者は、使用更新をより頻繁に受信する。別の例において、課金システム３４５は、モバイルデバイス加入者のモバイルデバイス・ネットワーク・プランの既に使い果たされている割合（％：パーセンテージ）に対応するＣＤＲ生成パラメータを作成することができる。モバイルデバイス加入者のモバイルデバイス・ネットワーク・プランの使い果たされている割合（％：パーセンテージ）が低い場合、ＣＤＲを生成するための暫定更新間隔は、高い時間および／またはデータ量閾値に基づいて長くなり、よってより少ないＣＤＲが生成されて、モバイルデバイス加入者が受信する使用更新が少なくなる。モバイルデバイス加入者が自分のモバイルデバイス・ネットワーク・プランのより大きい割合（％：パーセンテージ）を使い切るにつれて、課金システム３４５は、より高い時間および／またはデータ量閾値に基づいてより短い更新間隔を生成し、ＣＤＲ生成の頻度を増加させる。さらに別の例では、課金システム３４５は、課金サイクルの時点に対応するＣＤＲ生成パラメータを作成してもよい。課金サイクルの開始時において、少ない使用の可能性が高い場合、課金システム３４５は、高い時間および／またはデータ量閾値に基づいて、より長い更新間隔を生成し、生成されるＣＤＲの数を減少させる。課金サイクルが進行して使用が増加するにつれて、課金システム３４５は、より少ない時間および／またはデータ量閾値に基づいて暫定更新間隔を減少させ、よってより多くのＣＤＲが生成される。
【００３７】
幾つかの実施形態において、課金システム３４５は、モバイルデバイス加入者のプロファイル、モバイルデバイス加入者の現在および過去のネットワークリソース使用、およびモバイルデバイス加入者の通話およびデータ使用限度に関するモバイルデバイス・ネットワーク・プラン情報等の、モバイルデバイス加入者に関する情報を記憶するデータベースも含んでもよい。この情報は、課金システム３４５によって、モバイルデバイス加入者に関する個人的かつ動的なＣＤＲ生成パラメータの作成に使用されてもよい。
【００３８】
図４は、図３をさらに参照して、ＣＤＲ生成パラメータをインテリジェントに、かつ動的に生成するための、開示する発明対象の幾つかの実施形態によるプロセス４００の動作を高レベルで示す。プロセス４００は、ネットワークシステム３００を使用することができ、以下に述べるステップを含む。
【００３９】
ステップ４１０において、課金システム３４５は、１つまたは複数のファクタ（例えば、モバイルデバイス加入者の使用履歴、モバイルデバイス加入者のモバイルデバイス・ネットワーク・プラン、モバイルデバイス加入者のモバイルデバイス・ネットワーク・プランの既に使い果たされている割合、課金サイクルの時点）を分析して、モバイルデバイス加入者に適切なＣＤＲを生成するためのパラメータを開発する。
【００４０】
ステップ４２０において、課金システム３４５は、ＣＤＲ生成パラメータを、ネットワークシステム３００上で実装するためにＰＣＥＦ３９０へ送信する。これらのパラメータは、ＰＣＥＦ３９０へ直に送信されても、ＰＣＲＦ３５０を介して間接的に送信されてもよい。
【００４１】
ステップ４３０において、ＰＣＥＦ３９０は、ＰＧＷ３３０を通過するモバイルデバイス加入者の声および／またはデータパケット（「パケット」）を追跡することによって、モバイルデバイス加入者のネットワーク使用を追跡する。モバイルデバイス加入者のパケットは、ＵＥ３１０から発信され、ＳＧＷ３２０およびＰＧＷ３３０を経由してネットワーク３６０へと移動してもよい。ＰＧＷ３３０は、Ｒｘまたは他の適切なプロトコルを介してネットワーク３６０と通信することができる。また、モバイルデバイス加入者のパケットは、ネットワーク３６０から発信され、同じくＰＧＷ３３０およびＳＧＷ３２０を経由してＵＥ３１０へと移動してもよい。ＵＥ３１０またはネットワーク３６０から発信されたパケットがＰＧＷ３３０を通過するにつれて、ＰＣＥＦ３９０は、モバイルデバイス加入者について課金システム３４５から受信したＣＤＲ生成パラメータに基づいてＣＤＲを生成する。例えば、課金システム３４５は、ＰＣＥＦ３９０へ次のようなパラメータ、即ち、スミス氏によるネットワーク使用３分毎および／またはスミス氏によるデータ送信または受信５メガバイト毎の何れか先に到達される閾値毎に、ＣＤＲを生成する、というパラメータを送信してもよい。これらのパラメータを適用して、ＰＣＥＦ３９０は、ＰＧＷ３３０を通過するパケットによって測定される、スミス氏のネットワーク使用の時間および／またはデータ量の計数（総計）を保持する。スミス氏によるネットワーク使用３分毎、および／またはスミス氏によるデータ送信または受信５メガバイト毎に、ＰＣＥＦ３９０は、ＣＤＲを生成する。幾つかの実施形態において、ＰＣＥＦ３９０は、生成されたＣＤＲを、オフライン課金システム、例えばＯＦＣＳ３４０を介して課金システム３４５へ伝達する。
【００４２】
さらに詳細に説明するが、図５〜９は、開示する発明対象の所定の実施形態による、モバイルデバイス加入者に関するＣＤＲをインテリジェントに、かつ動的に生成するためのネットワークシステム（例えば、ネットワークシステム３００）の動作の例示的なプロセスフローを示す。
【００４３】
図５は、図３をさらに参照して、幾つかの実施形態による、ネットワークの使用を希望するモバイルデバイス加入者の初期セッションをセットアップするためのプロセスフローを示す。プロセス５００は、ネットワークシステム３００を使用することができ、以下に記述するプロセスを含む。
【００４４】
ＳＧＷ３２０は、ＵＥ３１０から、ネットワーク３６０上でモバイルデバイス加入者のセッションを開始する要求を受信する（５１０）。ＳＧＷ３２０は、セッション生成要求メッセージをＰＧＷ３３０へ送信する。実施形態によっては、ＳＧＷ３２０は、Ｓ１または他の適切なプロトコルを介してＰＧＷ３３０と通信する。次に、ＰＧＷ３３０は、ＰＣＲＦ３９０とのセッションを確立するために、信用制御要求初期化（ＣＣＲ−Ｉｎｉｔｉａｌ）メッセージをＰＣＲＦ３９０へ送信する（５２０）。この要求は、Ｇｘプロトコルを用いて伝達されてもよい。ＰＣＲＦ３９０は、ＣＣＲ−Ｉｎｉｔｉａｌメッセージを受信して、モバイルデバイス加入者割当量情報を得るために課金システム３４５へ要求を送る（５３０）。モバイルデバイス加入者割当量情報は、モバイルデバイス加入者に関する量および／または時間閾値に基づく暫定更新間隔等のＣＤＲ生成パラメータを含んでもよい。
【００４５】
課金システム３４５は、セッション要求を開始するモバイルデバイス加入者に適するＣＤＲ生成パラメータを作成し、かつ課金システム３４５は、そのモバイルデバイス加入者用に作成したＣＤＲ生成パラメータを含むモバイルデバイス加入者割当量応答メッセージをＰＣＲＦ３５０へ送信する（５４０）。ＰＣＲＦ３５０は、ＰＣＥＦ３９０へのその信用制御回答（ＣＣＡ−ＩＮＩＴＩＡＬ）メッセージの一部として、ＰＣＥＦ３９０へＣＤＲ生成パラメータを送信することができる（５５０）。ＰＣＥＦ３９０は、ＣＤＲ生成を制御するためのパラメータを記憶する構成モジュールを含んでもよい。ＰＣＥＦ３９０は、ＰＣＲＦ３５０からＣＤＲ生成パラメータを受信した後、その構成モジュールに記憶されている現在のパラメータを更新し、このＣＤＲ生成パラメータを適用してモバイルデバイス加入者のＣＤＲ生成を制御する。ＰＣＥＦ３９０は、ＳＧＷ３２０へ、モバイルデバイス加入者のためのセッションが作成されていることを確認するセッション生成応答を送信する（５６０）。
【００４６】
他の実施形態によれば、図６は、図３をさらに参照して、ネットワークの使用を希望するモバイルデバイス加入者の初期セッションをセットアップするためのプロセスフローを示す。
【００４７】
この実施形態は、上述のプロセス５００に類似するものであるが、ＰＣＲＦ３５０によるセッション設定後（即ち、ＣＣＲ−ＩｎｉｔｉａｌメッセージおよびＣＣＡ−Ｉｎｉｔｉａｌメッセージの交換（６２０および６３０）の後）に、ＰＣＥＦ３９０が、ＣＤＲ生成パラメータを含むモバイルデバイス加入者割当量情報を課金システム３４５から直にＰＣＲＦ３５０をバイパスして要求することが相違する。さらに、課金システム３４５は、要求されたモバイルデバイス加入者割当量情報を以てＰＣＥＦ３９０へ直に応答する（６５０）。実施形態によっては、ＰＣＥＦ３９０は、ＳＯＡＰ  ＸＭＬ／ＲＥＳＴ  ＡＰＩインターフェースを用いて課金システム３４５と直に通信してもよい。
【００４８】
図７は、図３をさらに参照して、幾つかの実施形態による、モバイルデバイス加入者のセッションが正常にセットアップされるとＣＤＲを生成するためのプロセスフローを示す。プロセス７００は、ネットワークシステム３００を使用することができ、以下に記述するプロセスを含む。ＰＣＥＦ３９０は、課金システム３４５から受信されるパラメータに従ってＣＤＲを生成する（７１０）。ＰＣＥＦ３９０は、ＣＤＲをオフライン課金システム（例えば、ＯＦＣＳ３４０）へＧＴＰＰまたは任意のオフラインプロトコルを介して送信してもよい。ＯＦＣＳ３４０は、生成されたＣＤＲを課金システム３４５に送る（７２０）。他の実施形態では、ＰＣＥＦ３９０は、ＣＤＲを直に課金システム３４５へ送信し、介在するオフライン課金システムを使用しない。課金システム３４５は、生成されたＣＤＲを受信すると、時間および／またはデータ量閾値に基づく現在の暫定更新間隔が調整を要するかどうかを確認するチェックを行なう（７３０）。例えば、ＣＤＲによってモバイルデバイス加入者がそのモバイルデバイス・ネットワーク・プランの使用割当量の９０％にあることを示されると、課金システム３４５は、ＣＤＲがより頻繁に生成されるように、新しいＣＤＲ生成パラメータを作成してもよい（例えば、暫定更新間隔を減らす）。
【００４９】
実施形態によっては、モバイルデバイス加入者のネットワーク使用がそのモバイルデバイス・ネットワーク・プランの使用割当量に対して増加することに伴う、ＣＤＲ生成の増加は、例えば下表１に示すような予め決められた増加を基礎とすることができる。
【表１】
2018521524.tif 000003
【００５０】
他の実施形態において、モバイルデバイス加入者のネットワーク使用がそのモバイルデバイス・ネットワーク・プランの使用割当量に対して増加することに伴う、ＣＤＲ生成の増加は、例えば下表２に示すような、モバイルデバイス加入者の現在のＣＤＲ更新間隔の予め決められた低減率を基礎とすることができる。
【表２】
2018521524.tif 000004
【００５１】
課金システム３４５が新しいＣＤＲ生成パラメータを作成すれば、ＰＣＲＦ３５０は、例えばＧｘ再認証要求（ＲＡＲメッセージ）を送信することによってＰＣＥＦ３９０とのセッションを再確立し、かつ新しいＣＤＲ生成パラメータ（例えば、量限度、時間限度、暫定間隔）を課金システム３４５から送信する（７４０）。ＰＣＥＦ３９０は、再認証回答（ＲＡＡ）確認メッセージをＰＣＲＦ３５０へ送信する（７５０）。
【００５２】
他の実施形態によれば、図８は、図３をさらに参照して、ＣＤＲを生成するためのプロセスフローを示しているが、ＰＣＲＦ３５０は、新しいＣＤＲ生成パラメータの設定に関与していない。ＣＤＲを生成してこれを課金システム３４５に転送すること（８１０および８２０）は、図７に関連して先に述べたような、ＣＤＲを生成してこれを課金システム３４５に転送すること（７１０および７２０）に類似している。しかしながら、課金システム３４５は、現行のＣＤＲ生成パラメータを調整しなければならないと決定すれば、新しいパラメータをＰＣＥＦ３９０へ直に伝達し、ＰＣＲＦ３５０を関与させない（８３０）。ＰＣＥＦ３９０は、新しいパラメータを受信すると、確認応答を直に課金システム３４５へ送信する（８４０）。
【００５３】
本明細書に開示する技術およびシステムは、ネットワーク、コンピュータシステムまたはコンピュータ化された電子デバイスと共に使用するためのコンピュータ・プログラム・プロダクトとして実装されてもよい。このような実装は、コンピュータ可読媒体（例えば、ディスケット、ＣＤ−ＲＯＭ、ＲＯＭ、フラッシュメモリまたは他のメモリまたは固定ディスク）等の有形媒体上に固定される、または媒体上でネットワークへ接続される通信アダプタ等のモデムまたは他のインタフェースデバイスを介してネットワーク、コンピュータシステムまたはデバイスへ送信可能な、一連のコンピュータ命令または論理を含んでもよい。
【００５４】
媒体は、有形媒体（例えば、光またはアナログ通信回線）または無線技術（例えば、Ｗｉ−Ｆｉ、セルラ、マイクロ波、赤外線または他の伝送技術）で実施される媒体のいずれかであってもよい。一連のコンピュータ命令は、システムに関して本明細書に記述している機能の少なくとも一部を具現する。 当業者であれば、このようなコンピュータ命令が、多くのコンピュータアーキテクチャまたはオペレーティングシステムで使用するための幾つかのプログラミング言語で書き込まれ得ることを認識すべきである。
【００５５】
さらに、このような命令は、半導体、磁気、光学または他のメモリデバイス等の任意の有形メモリデバイスに記憶されてもよく、かつ光、赤外線、マイクロ波または他の伝送技術等の任意の通信技術を用いて送信されてもよい。
【００５６】
このようなコンピュータ・プログラム・プロダクトが、印刷または電子文書（例えば、市販のソフトウェア）を添付したリムーバブル媒体として、コンピュータシステムが（例えば、システムＲＯＭまたは固定ディスク上）にプリロードされて分配されても、サーバまたは電子掲示板からネットワーク（例えば、インターネットまたはワールド・ワイド・ウェブ）上に分散されてもよいことは、予期される。当然ながら、本発明の幾つかの実施形態は、ソフトウェア（例えば、コンピュータ・プログラム・プロダクト）およびハードウェアの双方の組合せとして実装されてもよい。本発明のさらに他の実施形態は、完全にハードウェアとして、または完全にソフトウェア（例えば、コンピュータ・プログラム・プロダクト）として実装される。
【００５７】
これまでの説明において、所定のステップまたはプロセスは、特定のサーバ上で、または特定のエンジンの一部として実行することができる。これらの説明は、単なる例示であり、よって、特有のステップは、サーバシステムおよび／またはモバイルデバイスを含む、但しこれらに限定されない様々なハードウェアデバイス上で実行可能である。同様に、特定のステップが実行される場合の分割は、変わってもよく、分割なしも異なる分割も本発明の範囲に含まれることは、理解される。さらに、コンピュータシステム処理を記述するために使用される「モジュール」および／または他の言い回しの使用は、交換可能であって、機能を実行できる論理または回路を表すように意図されている。
【図１】
2018521524.tif 000005
【図２】
2018521524.tif 000006
【図３】
2018521524.tif 000007
【図４】
2018521524.tif 000008
【図５】
2018521524.tif 000009
【図６】
2018521524.tif 000010
【図７】
2018521524.tif 000011
【図８】
2018521524.tif 000012
【国際調査報告】
2018521524.tif 000013